(57)【要約】【課題】使用者に合った高さを選択して利用でき、仰向けの姿勢でも横向きの姿勢でも対応可能で、頚椎の圧迫を確実に抑制でき、鼾を軽減でき、首部の蒸れ等を確実に解消でき、構成簡素で、量産に適し、経済的で、取扱い易く、使い勝手の優れた枕を提供する。【解決手段】前辺部と後辺部の中央部分に首用湾曲凹部Ａ２を設け、表面生地１と裏面生地２と周側面生地３とで枕外殻体を構成し、表面生地１と裏面生地２の所定位置に複数の中仕切片４を設け、枕外殻体内に適宜充填材２０を充填して枕本体Ａを構成し、中仕切片４の第１中仕切片４ａと、第２中仕切片４ｂと、第３中仕切片４ｃと、第４中仕切片４ｄとを配する枕本体Ａの中央稍前部分と右前部分と左前部分と中央稍後部分と右後部分と左後部分と右中央部分と左中央部分とを頭乗せ部Ａ１とし、各頭乗せ部Ａ１の高さが夫々異なるよう構成する。【選択図】図２
0003111334.tif 000002
【実用新案登録請求の範囲】
【請求項１】
前辺部と、後辺部と、右辺部と、左辺部とを有し、少なくとも前辺部の中央部分と後辺部の中央部分に大きな首用湾曲凹部を設けた枕であって、表面生地と、裏面生地と、これらの表面生地と裏面生地の外周縁部分に縫着される周側面生地とで枕外殻体を構成し、表面生地と裏面生地の所定位置には、その部分に於ける表面生地と裏面生地との間隔を夫々所定寸法に設定する複数の中仕切片を設け、この中仕切片が設けられた枕外殻体内に適宜充填材を充填せしめて枕本体を構成し、前記中仕切片は、第１中仕切片と、第２中仕切片と、第３中仕切片と、第４中仕切片とを備え、第１中仕切片は、枕本体の中央稍前部分と右前部分と左前部分とに跨るように配され、第２中仕切片は、枕本体の中央稍後部分と右後部分と左後部分とに跨るように配され、第３中仕切片は、枕本体の右中央部分に配され、第４中仕切片は、枕本体の左中央部分に配され、これらの中仕切片が配されている前記枕本体の中央稍前部分と右前部分と左前部分と中央稍後部分と右後部分と左後部分と右中央部分と左中央部分とが夫々頭乗せ部となるように形成すると共に、これらの各頭乗せ部の高さが夫々異なる高さとなるよう構成したことを特徴とする快眠枕。
【請求項２】
前記第１中仕切片及び第２中仕切片は、その上端縁及び下端縁に於いて中央と右と左に頭用湾曲凹部を夫々設け、前記第３中仕切片及び第４中仕切片は、その上端縁及び下端縁に於いて頭用湾曲凹部を夫々設け、枕本体の中央稍前部分と右前部分と左前部分と中央稍後部分と右後部分と左後部分と右中央部分と左中央部分の頭乗せ部夫々が、湾曲状に窪むように構成したことを特徴とする請求項１記載の快眠枕。
【請求項３】
前記裏面生地を、裏面内がわ生地と裏面外がわ生地で構成し、裏面内がわ生地に充填用筒片が連設される充填用開口部を設け、この充填用開口部から充填材を裏面内がわ生地と裏面外がわ生地との間に部分的に或いは全体的に補充できるよう構成したことを特徴とする請求項１または請求項２記載の快眠枕。
【請求項４】
前記枕本体の裏面生地がわに於いて、前辺部中央と後辺部中央とにその両端部分が固着されると共に適宜弾性材で形成されるマット固定帯片を設け、右辺部及び左辺部に、マット固定片を夫々固着し、これらのマット固定帯片及びマット固定片を介して、適宜厚みの高さ調節用マットを枕本体の裏面生地がわに重合できるよう構成したことを特徴とする請求項１または請求項２または請求項３記載の快眠枕。
【請求項５】
前記枕本体の裏面生地を面着材で構成し、この面着材に着脱自在に取付け可能となる面着テープを備えた部分高さ調節用マットを形成し、この部分高さ調節用マットが裏面生地の任意の位置に着脱自在に取付け可能となるよう構成したことを特徴とする請求項１または請求項２または請求項３または請求項４記載の快眠枕。
【考案の詳細な説明】
【技術分野】
【０００１】
本考案は、主に、一つの枕に夫々高さ等の異なる複数の頭乗せ部を設けておき、使用者に合った高さの頭乗せ部を選択して利用することができ、しかも、仰向けの姿勢でも横向きの姿勢でも対応可能で、更に、枕による頚椎の圧迫を抑制でき、鼾を軽減できて、首部の蒸れを解消できるように工夫した快眠枕に関するものである。
【背景技術】
【０００２】
従来、この種の枕としては種々のものが提案されており、最近では低反発ウレタンで一体的に構成されたものが数多く提供されている。
また、例えば、特許文献１に示すような枕が提案されている。
そして、前記特許文献１に示すような枕は、上面布地と下面布地との間にマチ布をそれぞれ縫い合わせて、２つのボックス型、後頭部ボックス型、頸椎部ボックス型を作り、それぞれのボックス型の、下面布地の各ボックス型のそれぞれの位置にファスナーを取り付けて、ファスナー口から詰物を出したり入れたりすることにより、マチ布で作る中央中部の後頭部ボックス型で、後頭部の高さ、マチ布で作る中央下部の頸椎部ボックス型で、頸椎部の高さをそれぞれ調整し、枕の上面すなわち、上面布地の面の高さを、各部位ごとに調節するものである。
【０００３】
【特許文献１】実用新案登録第３０７２９０１号公報
【考案の開示】
【考案が解決しようとする課題】
【０００４】
ところが、低反発ウレタンで構成された枕にあっては、枕の形が頭の形に合わせて変形するため、頚椎が枕によって圧迫される難点や、夏期等にあっては首部が蒸れ易い等の難点があった。すなわち、頚椎が圧迫されると、血行不良や、肩こりや、頭痛や、首痛や、顔のむくみ等が生じる虞があった。しかも、頭の重さ等に応じて変形するため、頭の高さが利用者によって異なる難点や、高さの調節ができない難点等があった。
また、特許文献１に示すような枕にあっては、頚椎が枕によって圧迫される難点や、夏期等にあっては首部が蒸れ易い等の難点があった。しかも、枕の中央と左右に頭を乗せることができ、中央部分のみが高さ調節できるように形成してあるが、より多くの使用者に対応させるのは難しい等の難点があった。
【課題を解決するための手段】
【０００５】
そこで、本考案は、前述の如き難点等を解消できるようにすると共に、使用者に合った高さを選択して利用でき、仰向けの姿勢でも横向きの姿勢でも対応可能で、枕による頚椎の圧迫を抑制でき、鼾を軽減でき、首部の蒸れを解消できるような快眠枕を構成簡素に提供すべく案出されたものである。
しかして、請求項１記載の快眠枕にあっては、前辺部と、後辺部と、右辺部と、左辺部とを有し、少なくとも前辺部の中央部分と後辺部の中央部分に大きな首用湾曲凹部Ａ２を設けた枕であって、表面生地１と、裏面生地２と、これらの表面生地１と裏面生地２の外周縁部分に縫着される周側面生地３とで枕外殻体を構成し、表面生地１と裏面生地２の所定位置には、その部分に於ける表面生地１と裏面生地２との間隔を夫々所定寸法に設定する複数の中仕切片４を設け、この中仕切片４が設けられた枕外殻体内に適宜充填材２０を充填せしめて枕本体Ａを構成し、前記中仕切片４は、第１中仕切片４ａと、第２中仕切片４ｂと、第３中仕切片４ｃと、第４中仕切片４ｄとを備え、第１中仕切片４ａは、枕本体Ａの中央稍前部分と右前部分と左前部分とに跨るように配され、第２中仕切片４ｂは、枕本体Ａの中央稍後部分と右後部分と左後部分とに跨るように配され、第３中仕切片４ｃは、枕本体Ａの右中央部分に配され、第４中仕切片４ｄは、枕本体Ａの左中央部分に配され、これらの中仕切片４が配されている前記枕本体Ａの中央稍前部分と右前部分と左前部分と中央稍後部分と右後部分と左後部分と右中央部分と左中央部分とが夫々頭乗せ部Ａ１となるように形成すると共に、これらの各頭乗せ部Ａ１の高さが夫々異なる高さとなるよう構成する手段を採用した。
【０００６】
また、請求項２記載の快眠枕にあっては、前記第１中仕切片４ａ及び第２中仕切片４ｂは、その上端縁及び下端縁に於いて中央と右と左に頭用湾曲凹部を夫々設け、前記第３中仕切片４ｃ及び第４中仕切片４ｄは、その上端縁及び下端縁に於いて頭用湾曲凹部を夫々設け、枕本体Ａの中央稍前部分と右前部分と左前部分と中央稍後部分と右後部分と左後部分と右中央部分と左中央部分の頭乗せ部Ａ１夫々が、湾曲状に窪むように構成する手段を採用した。
【０００７】
更に、請求項３記載の快眠枕にあっては、前記裏面生地２を、裏面内がわ生地２ａと裏面外がわ生地２ｂで構成し、裏面内がわ生地２ａに充填用筒片１１が連設される充填用開口部１０を設け、この充填用開口部１０から充填材２０を裏面内がわ生地２ａと裏面外がわ生地２ｂとの間に部分的に或いは全体的に補充できるよう構成する手段を採用した。
【０００８】
そして、請求項４記載の快眠枕にあっては、前記枕本体Ａの裏面生地２がわに於いて、前辺部中央と後辺部中央とにその両端部分が固着されると共に適宜弾性材で形成されるマット固定帯片１２を設け、右辺部及び左辺部に、マット固定片１３を夫々固着し、これらのマット固定帯片１２及びマット固定片１３を介して、適宜厚みの高さ調節用マットＢを枕本体Ａの裏面生地２がわに重合できるよう構成する手段を採用した。
【０００９】
それから、請求項５記載の快眠枕にあっては、前記枕本体Ａの裏面生地２を面着材で構成し、この面着材に着脱自在に取付け可能となる面着テープ２５を備えた部分高さ調節用マットＣを形成し、この部分高さ調節用マットＣが裏面生地２の任意の位置に着脱自在に取付け可能となるよう構成する手段を採用した。
【考案の効果】
【００１０】
従って、本考案の請求項１記載の快眠枕によれば、使用者に合った高さを選択して利用でき、仰向けの姿勢でも横向きの姿勢でも対応可能で、枕による頚椎の圧迫を抑制でき、鼾を軽減でき、首部の蒸れを解消でき、しかも、構成簡素で、量産に適し、経済的で、取扱い易く、使い勝手の優れたものを提供できるようになる。
特に、少なくとも前辺部の中央部分と後辺部の中央部分に大きな首用湾曲凹部Ａ２を設けてあるので、頚椎が湾曲凹部Ａ２部分に位置するようになり、頚椎が枕によって圧迫されるのを確実に抑制できるようになり、頚椎圧迫による血行不良や、肩こりや、頭痛や、首痛や、顔のむくみ等の発生を抑制できるようになる。
更に、湾曲凹部Ａ２によって、首部と枕との間に隙間ができるようになり、首部の蒸れ等を確実に解消できるようになる。
加えて、一つの枕に夫々高さ等の異なる複数の頭乗せ部Ａ１を設けることができ、使用者に合った高さの頭乗せ部Ａ１を選択して利用することができるようになる。すなわち、高さ等が僅かに異なるだけで感じられる使用者の違和感等を、複数の頭乗せ部Ａ１の中から選択することにより、確実に解消できるようになる。
【００１１】
また、本考案の請求項２記載の快眠枕によれば、複数の頭乗せ部Ａ１夫々が湾曲状に窪むようになるため、頭を安定した状態で頭乗せ部Ａ１に乗せられるようになる。
特に、横向きの姿勢で寝ている時に、顎を首部がわに引き寄せ難くなり、鼾を確実に軽減できるようになる。ひいては、安眠でき、健康的な枕となる。
【００１２】
更に、本考案の請求項３記載の快眠枕によれば、充填材２０の補充や補修等が部分的に或いは全体的に行えるようになり、枕本体Ａ自体を所望の形状、寸法に変更（或いは、維持）でき、長期の使用に最適となる。しかも、充填材２０の補充や補修等が誰でも簡単に行えるようになる。加えて、充填用筒片１１を通過できるような大きさの部分高さ調節用マットＣを所望位置に配することもできるようになる。
すなわち、使用者に最適な枕となるような微調節が可能なものとなる。ひいては、高さ等が僅かに異なるだけで感じられる使用者の違和感等を、確実に解消できるようになる。
【００１３】
そして、本考案の請求項４記載の快眠枕によれば、枕本体Ａの全体的な高さを、誰でも簡単に使用者に合ったものに調節できるようになる。しかも、高さ調節用マットＢの枚数を増やすことが可能で、その高さ調節を細かく設定できるようになると共に、その高さ調節範囲が大きいものとなる。更に、マット固定帯片１２とマット固定片１３によって、高さ調節用マットＢを安定的に枕本体Ａに装着できるようになる。
【００１４】
それから、本考案の請求項５記載の快眠枕によれば、枕本体Ａの任意の位置に部分高さ調節用マットＣを装着でき、枕本体Ａを部分的に使用者に合った高さに簡単に調節できるようになる。しかも、その取扱いが容易である。
【考案を実施するための最良の形態】
【００１５】
以下、本考案を説明すると、次の通りである。
本考案の快眠枕は、前辺部と、後辺部と、右辺部と、左辺部とを有し、少なくとも前辺部の中央部分と後辺部の中央部分に大きな首用湾曲凹部Ａ２を設けた枕である。
そして、表面生地１と、裏面生地２と、これらの表面生地１と裏面生地２の外周縁部分に縫着される周側面生地３とで枕外殻体を構成し、表面生地１と裏面生地２の所定位置には、その部分に於ける表面生地１と裏面生地２との間隔を夫々所定寸法に設定する複数の中仕切片４を設け、この中仕切片４が設けられた枕外殻体内に適宜充填材２０を充填せしめて枕本体Ａを構成する。
更に、前記中仕切片４は、第１中仕切片４ａと、第２中仕切片４ｂと、第３中仕切片４ｃと、第４中仕切片４ｄとを備え、第１中仕切片４ａは、枕本体Ａの中央稍前部分と右前部分と左前部分とに跨るように配され、第２中仕切片４ｂは、枕本体Ａの中央稍後部分と右後部分と左後部分とに跨るように配され、第３中仕切片４ｃは、枕本体Ａの右中央部分に配され、第４中仕切片４ｄは、枕本体Ａの左中央部分に配され、これらの中仕切片４が配されている前記枕本体Ａの中央稍前部分と右前部分と左前部分と中央稍後部分と右後部分と左後部分と右中央部分と左中央部分とが夫々頭乗せ部Ａ１となるように形成すると共に、これらの各頭乗せ部Ａ１の高さが夫々異なる高さとなるよう構成されている。
【実施例】
【００１６】
そして、図示例の快眠枕にあっては、前記第１中仕切片４ａ及び第２中仕切片４ｂは、その上端縁及び下端縁に於いて中央と右と左に頭用湾曲凹部を夫々設け、前記第３中仕切片４ｃ及び第４中仕切片４ｄは、その上端縁及び下端縁に於いて頭用湾曲凹部を夫々設け、枕本体Ａの中央稍前部分と右前部分と左前部分と中央稍後部分と右後部分と左後部分と右中央部分と左中央部分の頭乗せ部Ａ１夫々が、湾曲状に窪むように構成されている。
【００１７】
また、前記裏面生地２或いは表面生地１に充填用筒片１１が連設される充填用開口部１０を設け、この充填用開口部１０から充填材２０を部分的に補充できるように構成しても良い。
加えて、前記裏面生地２は、表面生地１にその周縁部分が縫着される裏面内がわ生地２ａと裏面外がわ生地２ｂで構成し、裏面外がわ生地２ｂに充填用筒片１１が連設される充填用開口部１０を設け、この充填用開口部１０から充填材２０を裏面内がわ生地２ａと裏面外がわ生地２ｂとの間に部分的に或いは全体的に補充できるよう構成されている（図７参照）。すなわち、この裏面内がわ生地２ａと裏面外がわ生地２ｂとの間に部分的に或いは全体的に充填材２０を補充することで、枕の部分的な高さや、部分的な形状や、全体的な高さや、全体的な形状等を、使用者に応じて簡単に調節できるように構成されている。尚、裏面内がわ生地２ａの一部（裏面外がわ生地２ｂの充填用開口部１０の近傍）に充填用開口部１０を設けておき、充填材２０の部分的調節が行えるようにしても良い。
【００１８】
更に、前記枕本体Ａの裏面生地２がわに於いて、前辺部中央と後辺部中央とにその両端部分が固着されると共に適宜弾性材で形成されるマット固定帯片１２を設け、右辺部及び左辺部に、マット固定片１３を夫々固着し、これらのマット固定帯片１２及びマット固定片１３を介して、適宜厚みの高さ調節用マットＢを枕本体Ａの裏面生地２がわに重合できるよう構成されている（図５、図６参照）。
【００１９】
そして、前記枕本体Ａの裏面生地２を面着材で構成し、この面着材に着脱自在に取付け可能となる面着テープ２５を備えた部分高さ調節用マットＣを形成し、この部分高さ調節用マットＣが裏面生地２の任意の位置に着脱自在に取付け可能となるよう構成されている（図８参照）。
【００２０】
前記表面生地１と裏面生地２は、例えば、適宜材質の生地等が利用され、夫々平面略蝶形状に形成されている。
ところで、前記裏面生地２は、適宜材質の生地等を平面略蝶形状に形成したような裏面内がわ生地２ａと裏面外がわ生地２ｂで構成しても良い。
【００２１】
前記周側面生地３は、例えば、適宜材質の生地等が利用され、前辺部中央部から右辺部中央部に亙って配される第１側面生地片３ａと、前辺部中央部から左辺部中央部に亙って配される第２側面生地片３ｂと、後辺部中央部から右辺部中央部に亙って配される第３側面生地片３ｃと、後辺部中央部から左辺部中央部に亙って配される第４側面生地片３ｄとからなり、表面生地１と裏面生地２の外周縁部分を結ぶように縫着されると共に、表面生地１と裏面生地２の外周縁部分の間隔（高さ）を所定の寸法に設定できるように構成されている。しかも、第１側面生地片３ａ、第２側面生地片３ｂ、第３側面生地片３ｃ、第４側面生地片３ｄ相互も縫着されている。
尚、周側面生地３は、前述のように複数の第１側面生地片３ａ、第２側面生地片３ｂ、第３側面生地片３ｃ、第４側面生地片３ｄによって構成したものであっても良いし、或いは、一つに形成されたものであっても良い。
【００２２】
前記中仕切片４は、例えば、適宜材質の生地等が利用され、その上下端縁部分を表面生地１と裏面生地２に夫々縫着することにより所定位置に固定されている。
更に、中仕切片４は、枕本体Ａの中央稍前部分（左右方向中央で、前辺寄り部分）と右前部分（左右方向右がわで、更に前辺寄り部分）と左前部分（左右方向左がわで、更に前辺寄り部分）とに跨るように平面略弓型状に配される第１中仕切片４ａと、枕本体Ａの中央稍後部分（左右方向中央で、後辺寄り部分）と右後部分（左右方向右がわで、更に後辺寄り部分）と左後部分（左右方向左がわで、更に後辺寄り部分）とに跨るように平面略弓型状に配される第２中仕切片４ｂと、枕本体Ａの右中央部分（左右方向右がわで、前後方向中央部分）に配される第３中仕切片４ｃと、枕本体Ａの左中央部分（左右方向左がわで、前後方向中央部分）に配される第４中仕切片４ｄとで構成されている（図４参照）。
【００２３】
そして、第１中仕切片４ａは、その上端縁及び下端縁に於いて中央と右と左に頭用湾曲凹部が夫々設けられ、第２中仕切片４ｂは、その上端縁及び下端縁に於いて中央と右と左に頭用湾曲凹部が夫々設けられ、第３中仕切片４ｃは、その上端縁及び下端縁に於いて頭用湾曲凹部が夫々設けられ、第４中仕切片４ｄは、その上端縁及び下端縁に於いて頭用湾曲凹部が夫々設けられており、これら頭用湾曲凹部が、前記頭乗せ部Ａ１に対応するように構成してある。
すなわち、枕本体Ａの中央稍前部分と右前部分と左前部分と中央稍後部分と右後部分と左後部分と右中央部分と左中央部分の頭乗せ部Ａ１夫々が、湾曲状に窪むようになり、頭を頭乗せ部Ａ１に安定した状態で乗せられるように構成されている。
尚、湾曲状に窪む頭乗せ部Ａ１以外の部分は、上方に膨出するようになり、例えば、横向きの姿勢で寝ている時に、顎を首部がわに引き寄せ難くなるように構成されている。
【００２４】
図中５は、第５中仕切片で、この第５中仕切片５は、例えば、適宜材質の生地等が利用され、第１中仕切片４ａや第２中仕切片４ｂの両端部と、第３中仕切片４ｃや第４中仕切片４ｄの外がわ端部とを結ぶように形成されている（図９参照）。
すなわち、中仕切片４と複数の第５中仕切片５とで囲繞された空間が設けられるようにし、充填材２０の移動を阻止（或いは制限）できるようにすると共に、枕本体Ａ自体を長期に亙って所望の形状に維持できるように構成されている。
【００２５】
図中６は、例えば、表面生地１の左右方向中央の前辺部寄りと後辺部寄りに夫々設けられる略三日月状の寸法調節用切欠部を示し、この寸法調節用切欠部６は、その開口縁の長辺部分を相互に縫着することにより、枕本体Ａの前辺部分から第１中仕切片４ａの左右方向中央部分迄の距離と、枕本体Ａの後辺部分から第２中仕切片４ｂの左右方向中央部分迄の距離とを、夫々調節できるように構成されたものである。すなわち、寸法調節用切欠部６の開口幅によって、前記調節寸法が決定されるようになる。
【００２６】
前記充填用開口部１０は、例えば、前記裏面生地２或いは表面生地１の適宜位置に適数設けられるもので、この充填用開口部１０を利用して、充填材２０を枕本体Ａ内に部分的に補充、修正できるように構成されたものである。
【００２７】
前記充填用筒片１１は、例えば、適宜材質の生地等で略円筒状に形成され、しかも、充填用開口部１０の孔縁部分にその基端部分が縫着されている。すなわち、この充填用筒片１１を充填用開口部１０を介して枕本体Ａ内に押し込むことによって、充填用開口部１０を閉鎖したり、或いは、枕本体Ａ内から充填用筒片１１を引出すことによって、充填用開口部１０を開口できるように構成されたものである。
尚、充填用開口部１０の開閉手段としては、図１０に示すように充填用筒片１１に代えてファスナー等の止着具１５を利用しても良い。
【００２８】
前記マット固定帯片１２は、例えば、略帯紐状のゴム材等が利用され、その両端部分が枕本体Ａの前辺部中央と後辺部中央とに縫着されると共に、裏面生地２がわに配置されている。
すなわち、マット固定帯片１２は、高さ調節用マットＢを裏面生地２の表面に安定的に保持しておけるように構成されている。
【００２９】
前記マット固定片１３は、例えば、適宜材質の生地等で略帯片状に形成され、その基端部分が枕本体Ａの右辺部中央と左辺部中央とに夫々縫着されている。しかも、その表裏面（或いは表面、或いは裏面でも良い）には、適宜面着テーブが縫着（或いは接着、その他でも良い）されている。
すなわち、マット固定片１３は、面着テープを介して高さ調節用マットＢの裏面に取外し可能に取付けでき、高さ調節用マットＢを裏面生地２の表面に安定的に保持しておけるように構成されている。
尚、高さ調節用マットＢの裏面には、マット固定片１３に設けた面着テープに対応するような面着テープを予め固定してあっても良いし、或いは、高さ調節用マットＢの裏面自体が、マット固定片１３に設けた面着テープが取付けられる面着テープ状に構成したものであっても良い。
【００３０】
前記充填材２０は、例えば、綿や、ウールや、化学繊維や、羽毛や、パイブ材や、球形材や、ひのきチップや、そばがらや、その他の適宜材料が利用でき、しかも、これらを適宜組合せたものであっても良い。
また、裏面内がわ生地２ａと裏面外がわ生地２ｂとの間に配される充填材２０は、前述のような材料を適宜小袋体内に充填したもの（例えば、部分高さ調節用マットＣを小さくしたようなもの等）を利用しても良い。
【００３１】
前記高さ調節用マットＢは、例えば、適宜厚み（例えば、５ｍｍ）のシート材によって略蝶状に構成されており、裏面生地２表面に安定的に配置できるよう構成されている。
【００３２】
前記部分高さ調節用マットＣは、例えば、比較的小さな適宜袋状の外殻体内に適宜充填材を充填して構成され、その表面には面着テープ２５が縫着されている。このとき、枕本体Ａの裏面生地２は、適宜面着材で構成されており、調節用マットＣを面着テープ２５を介して裏面生地２の任意の位置に着脱自在に取付けできるよう構成されている。
すなわち、枕本体Ａの任意の位置に部分高さ調節用マットＣが装着できるように形成して、枕本体Ａを部分的に使用者に合った高さに簡単に調節できるように構成されている。
【００３３】
ところで、快眠枕の具体的構成、形状、寸法、材質、枕本体Ａの具体的構成、形状、寸法、材質、頭乗せ部Ａ１の具体的形状、寸法、数、配設位置、湾曲凹部Ａ２の具体的構成、形状、寸法、表面生地１の具体的構成、形状、材質、裏面生地２の具体的構成、形状、寸法、材質、裏面内がわ生地２ａの具体的構成、形状、寸法、材質、裏面外がわ生地２ｂの具体的構成、形状、寸法、材質、周側面生地３（第１側面生地片３ａ、第２側面生地片３ｂ、第３側面生地片３ｃ、第４側面生地片３ｄ）の具体的構成、形状、寸法、材質、数、中仕切片４（第１中仕切片４ａ、第２中仕切片４ｂ、第３中仕切片４ｃ、第４中仕切片４ｄ）の具体的構成、形状、寸法、数、配設位置、第５中仕切片５の具体的構成、形状、寸法、数、配設位置、寸法調節用切欠部６の具体的構成、形状、寸法、数、配設位置、充填用開口部１０の具体的構成、形状、寸法、数、配設位置、充填用筒片１１の具体的構成、形状、寸法、材質、数、配設位置、マット固定帯片１２の具体的構成、形状、寸法、材質、数、配設位置、マット固定片１３の具体的構成、形状、寸法、材質、数、配設位置、止着具１５の具体的構成、形状、寸法、材質、数、配設位置、充填材２０の具体的構成、形状、寸法、材質、高さ調節用マットＢの具体的構成、形状、寸法、材質、部分高さ調節用マットＣの具体的構成、形状、寸法、材質、数、面着テープ２５の具体的構成、形状、寸法、材質、数、配設位置等は図示例のもの等に限定されることなく適宜自由に設定、変更できるものである。
【図面の簡単な説明】
【００３４】
【図１】本考案を例示する斜視図である。
【図２】本考案を例示する分解斜視図である。
【図３】本考案を例示する縦断側面図である。
【図４】本考案を例示する横断平面図である。
【図５】本考案の他の実施例を示す斜視図である。
【図６】本考案の他の実施例を示す側面図である。
【図７】本考案の部分断面図である。
【図８】本考案の他の実施例を示す斜視図である。
【図９】本考案の他の実施例を示す部分斜視図である。
【図１０】本考案の他の実施例を示す底面図である。
【符号の説明】
【００３５】
Ａ      枕本体
Ａ１    頭乗せ部
Ａ２    湾曲凹部
１      表面生地
２      裏面生地
２ａ    裏面内がわ生地
２ｂ    裏面外がわ生地
３      周側面生地
３ａ    第１側面生地片
３ｂ    第２側面生地片
３ｃ    第３側面生地片
３ｄ    第４側面生地片
４      中仕切片
４ａ    第１中仕切片
４ｂ    第２中仕切片
４ｃ    第３中仕切片
４ｄ    第４中仕切片
５      第５中仕切片
６      寸法調節用切欠部
１０    充填用開口部
１１    充填用筒片
１２    マット固定帯片
１３    マット固定片
１５    止着具
２０    充填材
Ｂ      高さ調節用マット
Ｃ      部分高さ調節用マット
２５    面着テープ
【図１】
0003111334.tif 000003
【図２】
0003111334.tif 000004
【図３】
0003111334.tif 000005
【図４】
0003111334.tif 000006
【図５】
0003111334.tif 000007
【図６】
0003111334.tif 000008
【図７】
0003111334.tif 000009
【図８】
0003111334.tif 000010
【図９】
0003111334.tif 000011
【図１０】
0003111334.tif 000012